(57)【要約】【課題】付加装置を備えるスピーカ装置において、所望の付加装置を取り付ける場合に、電源配線の施工に手間がかかるという問題点を解消する。【解決手段】オーディオ信号を増幅するＢＴＬ増幅器２２から出力された正負の出力信号が入力されることにより音声を出力するスピーカ１１と、スピーカ１１に付加機能をもたらす付加装置１３と、ＢＴＬ増幅器２２の正負の出力信号のオフセット電圧により、付加装置１３の電源を供給する電源供給装置１２とを有する。【選択図】      図３
2005012370.tif 000002
【特許請求の範囲】
【請求項１】
オーディオ信号を増幅するＢＴＬ増幅器から出力された正負の出力信号が入力されることにより音声を出力するスピーカと、
前記スピーカに付加機能をもたらす付加装置と、
前記ＢＴＬ増幅器の正負の出力信号ラインのオフセット電圧により、前記付加装置の電源を供給する電源供給装置と、を有することを特徴とする付加装置を備えるスピーカ装置。
【請求項２】
前記電源供給装置は、前記オフセット電圧に重畳した出力信号が直流電圧となるように平滑化する平滑回路を有することを特徴とする請求項１に記載の付加装置を備えるスピーカ装置。
【請求項３】
前記電源供給装置は、前記平滑回路によって平滑化された直流電圧が入力され、該直流電圧をさらに安定化した所定の電圧値に変換して出力する安定化回路を有することを特徴とする請求項２に記載の付加装置を備えるスピーカ装置。
【請求項４】
前記安定化回路は、シリーズレギュレータまたはＤＣ−ＤＣコンバータであることを特徴とする請求項３に記載の付加装置を備えるスピーカ装置。
【請求項５】
前記電源供給装置は、前記ＢＴＬ増幅器から出力された正負の出力信号の少なくとも一方の信号を入力することを特徴とする請求項１〜４のいずれかに記載の付加装置を備えるスピーカ装置。
【請求項６】
前記付加装置は、前記ＢＴＬ増幅器の出力信号の出力レベルに応じて発光素子の発光光量を変化せしめるイルミネーション回路であることを特徴とする請求項１〜５のいずれかに記載の付加装置を備えるスピーカ装置。
【請求項７】
前記付加装置は、前記ＢＴＬ増幅器の出力信号の出力レベルを表示するレベルメータ回路であることを特徴とする請求項１〜５のいずれかに記載の付加装置を備えるスピーカ装置。
【請求項８】
前記付加装置は、前記ＢＴＬ増幅器の出力信号の周波数毎の出力レベルを表示するスペクトラムアナライザであることを特徴とする請求項１〜５のいずれかに記載の付加装置を備えるスピーカ装置。
【請求項９】
前記付加装置は、前記スピーカを保護するためのスピーカ保護回路であることを特徴とする請求項１〜５のいずれかに記載の付加装置を備えるスピーカ装置。
【請求項１０】
前記付加装置は、前記ＢＴＬ増幅器の出力信号を電波信号に変換して送信するワイヤレス送信回路であることを特徴とする請求項１〜５のいずれかに記載の付加装置を備えるスピーカ装置。
【請求項１１】
前記付加装置は、前記ＢＴＬ増幅器の出力信号を赤外線信号に変換して送信するワイヤレス送信回路であることを特徴とする請求項１〜５のいずれかに記載の付加装置を備えるスピーカ装置。
【請求項１２】
前記付加装置は、前記ＢＴＬ増幅器の出力信号を超音波信号に変換して送信する超指向性スピーカ装置であることを特徴とする請求項１〜５のいずれかに記載の付加装置を備えるスピーカ装置。
【請求項１３】
複数の付加装置を有することを特徴とする請求項１〜１２のいずれかに記載の付加装置を備えるスピーカ装置。
【発明の詳細な説明】
【０００１】
【発明の属する技術分野】
本発明は付加装置を備えるスピーカ装置に関する。
【０００２】
【従来の技術】
単にチューナ、ＣＤプレーヤ等のオーディオ信号を増幅器（オーディオアンプ）によって増幅し、スピーカから音を出すのみならず、オーディオ信号の強度に応じて発光素子の発光光量を変化せしめるイルミネーション、オーディオ信号の出力を表示するためのレベルメータなど、スピーカに付加機能をもたらす種々の付加装置を備えるスピーカ装置がある。
【０００３】
このような、従来の付加装置を備えるスピーカ装置の概略構成を図１に示す。
図１に示すように、従来の付加装置を備えるスピーカ装置９０は、例えば車載用であり、スピーカ９０１と、付加装置９０２と備えている。
【０００４】
スピーカ９０１には、増幅されたオーディオ信号を出力するヘッドユニット９１が接続されており、このヘッドユニット９１は、通常、チューナ、ＣＤプレーヤ等の音源部９１１と増幅器（オーディオアンプ）９１２とからなる。そして、ヘッドユニット９１にはバッテリー９２から直流の電力が供給されている。
また、付加装置９０２にも、バッテリー９２から直流の電力が供給されており、バッテリー９２のＢＡＴＴ端子またはＡＣＣ端子から電源配線を引き回して結線している。
また、増幅されたオーディオ信号を入力させて、このオーディオ信号に応じた動作（イルミネーションの明滅など）をさせることができる。
【０００５】
一方、付加装置９０２は、ヘッドユニット９１、スピーカ９０１とセットとして販売される純正品（標準装備品）などのように車を購入する際に予め取り付けられたもの以外に、ユーザー自身が取り付けたり、取り付け業者に依頼するなどして、所望の機能を有する付加装置を後から取り付ける場合がある。
このように、車を購入した後に取り付ける付加装置９０２に供給する電力の電源配線は、バッテリー９２のＢＡＴＴ端子やＡＣＣ端子などのバッテリーの電源端子から電源配線を引き回して施工する必要があった。
【０００６】
あるいは、付加装置を備えるスピーカ装置の特殊な例として、例えば特許文献１によれば、スピーカ用ボイスコイルの振動によって発光素子駆動用ボイスコイルを振動せしめて誘起起電力を得て、この誘起起電力によりスピーカに付着させた発光素子を発光せしめるとともに、スピーカに入力されるオーディオ信号の強弱に合わせて、この発光素子の発光に強弱・点滅を生ぜしめる技術が開示されている。
【０００７】
ところで、ヘッドユニット９１の増幅器９１２（または、ヘッドユニット９１の出力をさらに増幅する単体のパワーアンプ）は、近年、大出力のものが求められる傾向にあり、この要求に応えるためにＢＴＬ（Ｂａｌａｎｃｅｄ  Ｔｒａｎｓｆｏｒｍｅｒ  Ｌｅｓｓ）出力を備えたＢＴＬ増幅器が使用されている。ＢＴＬ増幅器は、例えば特許文献２に示されるように、通常のＳＥＰＰ方式の増幅器の４倍程度の出力を得ることができる。
【０００８】
以下、ＢＴＬ増幅器の回路の一例を図２に示し、ＢＴＬ増幅器の原理を説明する（例えば、特許文献２参照）。
図２の（ａ）に示す回路において、ＢＴＬ増幅器１００１の入力端子に供給されたオーデイオ信号としての正弦波信号（図２（ｂ））は、増幅器Ａの入力端子に供給されると共に、反転増幅器１００２で位相が反転された信号として、増幅器Ｂの入力端子に供給される。
【０００９】
正弦波信号の正極側の半サイクルだけを考えると、増幅器Ａの出力電圧によって、トランジスタＱ２はＯＮ（導通）状態になり、トランジスタＱ１はＯＦＦ（遮断）状態になる。
【００１０】
一方、反転増幅器１００２で反転された信号が増幅器Ｂに供給されると、トランジスタＱ３はＯＦＦになり、トランジスタＱ４はＯＮになる。よって、ＤＣ−ＤＣコンバータ１００３より供給される回路電流は、トランジスタＱ２のエミッタ端子、負荷抵抗ＲＬ及びトランジスタＱ４のエミッタ端子からアースに至る経路で負荷抵抗ＲＬに電流が流れる（図中矢印方向）。
【００１１】
また、負極側の半サイクルを考えると、増幅器Ａの出力電圧によってトランジスタＱ２はＯＦＦし、トランジスタＱ１はＯＮとなる。また、増幅器Ｂの出力電圧によってトランジスタＱ３はＯＮし、トランジスタＱ４はＯＦＦとなる。
【００１２】
よって、ＤＣ−ＤＣコンバータ１００３より供給される回路電流は、トランジスタＱ３のエミッタ端子、負荷抵抗ＲＬ及びトランジスタＱ１のエミッタ端子からアースに至る経路で負荷抵抗ＲＬに電流が流れる（図中点線矢印方向）。
【００１３】
ＢＴＬ増幅器の定格出力電力は、概略（Ｖｃ）２  ／（２×ＲＬ）の式で求められるので、負荷抵抗ＲＬを８Ωとして、例えばＶｃ＝１２Ｖとすれば、９Ｗ（ワット）の定格出力電力が得られる。また、ＤＣ−ＤＣコンバータ１００３で電圧を昇圧して、例えばＶｃ＝２４Ｖとすれば、出力電力は３６Ｗとなり、高出力のパワーアンプとすることができる。
【００１４】
【特許文献１】
特開平１１−１６４３７８号公報
【特許文献２】
特開平９−２６０９７７号公報（図２６）
【００１５】
【発明が解決しようとする課題】
前述のとおり、従来の付加装置を備えるスピーカ装置は、付加装置に供給すべき電力をバッテリーから電源配線を引き回して取り入れている。
このため、車を購入した後に、ユーザー自身が取り付ける、または、取り付け業者に依頼するなどして、所望の付加装置を取り付ける場合には、付加装置のための電源配線を引き回す施工を行う必要があるが、この電源配線の施工は、ダッシュボード回りの施工や、エンジンルームの組付け加工等が必要であるために、手間がかかるという問題点があった。
【００１６】
さらに、取り付け業者が施工する料金、一般に車載機器が、ナビゲーション装置、ヘッドユニット、スピーカといったカテゴリー毎に、取り付け料金が定額となっているため、電源配線の施工が必要なスピーカの付加装置は一般のスピーカに比べ手間がかかるため敬遠したがるという事情もある。
【００１７】
なお、前述の特許文献１に示された従来技術では、スピーカ装置と該スピーカ装置の付加装置である発光素子（イルミネーション）とが一体構造をなしており、スピーカ装置にも発光素子駆動用ボイスコイルを備えた仕様のものが要求され、標準装備のスピーカまたは市販されている一般的な仕様のスピーカをそのまま用いることができない。また、ユーザーが後から取り付ける種々の付加装置には対応していない。
【００１８】
本発明が解決しようとする課題としては、付加装置を備えるスピーカ装置において、上述した従来技術において生じている所望の付加装置を取り付ける場合に、電源配線の施工に手間がかかるという問題点を解消することが一例として挙げられる。
【００１９】
【課題を解決するための手段】
請求項１に記載の付加装置を備えるスピーカ装置は、オーディオ信号を増幅するＢＴＬ増幅器から出力された正負の出力信号が入力されることにより音声を出力するスピーカと、前記スピーカに付加機能をもたらす付加装置と、前記ＢＴＬ増幅器の正負の出力信号ラインのオフセット電圧により、前記付加装置の電源を供給する電源供給装置と、を有することを特徴とする。
【００２０】
【発明の実施の形態】
以下、本発明の付加装置を備えるスピーカ装置の実施の形態について、図３〜図１１を参照して詳細に説明する。
【００２１】
図３は、本発明の実施の形態に係る付加装置を備えるスピーカ装置の全体構成を示す概略構成図である。
付加装置を備えるスピーカ装置１は、図３に示すように、例えば車載用であり、オーディオ信号を増幅するＢＴＬ増幅器２２から出力された正負の出力信号が入力されることにより音声を出力するスピーカ１１と、スピーカ１１に付加機能をもたらす付加装置１３と、ＢＴＬ増幅器２２の正負の出力信号が、分岐して入力され、この正負の出力信号ラインと接地Ｇ間のオフセット電圧により、付加装置１３の電源を供給する電源供給装置１２と、を備えている。
【００２２】
このＢＴＬ増幅器２２は、例えばヘッドユニット２に内蔵されており、音源部２１であるチューナ、ＣＤプレーヤ等から出力されたオーディオ信号を増幅してスピーカ１１を駆動するものであり、前述の図２にその原理を示したものである。あるいは、出力のオフセット電圧が利用可能ならばこのＢＴＬ増幅器２２は、ヘッドユニット２の外部に設けられたパワーアンプ等でもよい。
【００２３】
また、このヘッドユニット２には、バッテリー３（車載用電源）の電源端子であるＢＡＴＴ端子やＡＣＣ端子などから直流の電力が供給されるように電気配線が配設されている。
【００２４】
車載用のバッテリー３としては、通常、規格出力電圧が１２（Ｖ）のものが使用される。このような規格出力電圧が１２（Ｖ）のバッテリーの場合、ヘッドユニット２の＋側出力端子または−側出力端子と接地Ｇとの間の電圧（電位差）は、平均値で約６（Ｖ）が出力可能である。
または、規格出力電圧が１２（Ｖ）以外の電源であってもよく、例えば、規格出力電圧が４８（Ｖ）等の高電圧の電源を使用することもできる。
【００２５】
電源供給装置１２には、スピーカ１１に入力するオーディオ信号（ＢＴＬ増幅器２２の出力信号）を分岐して入力する。このオーディオ信号の分岐方法は、分岐線をオーディオ信号配線の適当な位置にハンダ付けして接続する方法や、分岐線をスピーカ１１のオーディオ信号入力端子に直接接続する方法等により比較的簡易な方法で分岐させることが可能である。
【００２６】
そして、電源供給装置１２は、このオーディオ信号（ＢＴＬ増幅器２２の出力信号）のオフセット電圧を利用して直流の電力に変換して、付加装置１３に供給する。
【００２７】
付加装置１３は、電源供給装置１２から供給される直流電源を電源ラインＶＬとして取り入れ、この直流電源を使用して稼働する。スピーカ１１に入力されるオーディオ信号（ＢＴＬ増幅器２２の出力信号）を分岐入力する付加装置１３（例えば、イルミネーション）については、この分岐入力されたオーディオ信号（ＢＴＬ増幅器２２の出力信号）に応じた動作（例えば、イルミネーションの明滅など）をさせることができる。
【００２８】
以上のように構成されているので、本実施の形態に係る付加装置を備えるスピーカ装置においては、付加装置１３の電源を内部の構成要素である電源供給装置１２から供給することができる。よって、従来のように、バッテリー３から配線を引き回してくる必要がない。
【００２９】
図４は、本発明の実施の形態に係る付加装置を備えるスピーカ装置の電源供給装置１２の一構成例を示す回路図である。
図４に示すように、電源供給装置１２は、スピーカ１１に入力されるオーディオ信号（ＢＴＬ増幅器２２の出力信号）をオフセット電圧に重畳した脈流に変換する整流用の素子１２１Ａ，１２１Ｂと、この脈流を平滑するための平滑回路を構成するコイル１２２（インダクタ）又は抵抗及び電解コンデンサ１２４と、出力を安定させるための安定化回路１２３とを備える。
【００３０】
整流用の素子１２１Ａ，１２１Ｂは、例えば、ダイオードで構成することができる。
以下、図４に示す電源供給装置１２の動作について説明する。
スピーカ１１に入力されるオーディオ信号配線から分岐した分岐線は、整流用の素子１２１Ａ，１２１Ｂに接続されており、これにより、オーディオ信号（ＢＴＬ増幅器２２の出力信号）は、オフセット電圧に重畳した脈流に変換される。なお、両波整流にする時は、整流用の素子として１２１Ａと１２１Ｂの両方を接続する必要があるが、片波整流にする時には１２１Ａまたは１２１Ｂのいずれか１つを接続するだけでよい。
また、電源供給装置１２および付加回路１３の消費電力が微小であるならば１２１Ａまたは１２１Ｂを抵抗で置き換えることができる。
【００３１】
この脈流は、コイル１２２（インダクタ）又は抵抗と電解コンデンサ１２４（キャパシタ）から成る平滑回路によって平滑され、その結果、直流成分に変換される（電解コンデンサ１２４の２つの接続用端子間に前記直流成分の起電力が得られる）。電源の用途（付加装置１３の仕様）によっては、この直流成分の電力を、そのまま電圧供給装置１２の出力ＶＬとして使用することができる。
【００３２】
安定化された電源が必要な場合、前記直流成分は、さらに、安定化回路１２３に導かれる構成とし、安定化回路１２３によって、電流値または電圧値の安定した電源出力が得られるように制御される。これにより、付加装置１３の電源ラインＶＬとして使用可能な安定した電源が得られる。この安定化回路１２３は、シリーズレギュレータや、ＤＣ−ＤＣコンバータ等を用いて構成することができる。また、ＤＣ−ＤＣコンバータを用いた場合は、付加装置の電源電圧に合わせて出力電圧を変えることができる。
【００３３】
なお、電源供給装置１２は、その電力供給能力の範囲内ならば複数の付加装置１３の電源として使用することもできる。
【００３４】
以下、図５〜図１１を参照して付加装置の具体的な構成例（１３ａ〜１３ｇ）を挙げそれぞれの例について説明する。
図５は、付加装置の構成例１を示す回路図である。構成例１の付加装置１３ａは、イルミネーション回路を構成し、抵抗器３１と、発光素子３２ａ〜３２ｎとを備える。
【００３５】
以下、構成例１に係る付加装置１３ａの動作を説明する。
電源ラインＶＬは、前述した電源供給装置１２（図３および図４参照）の出力を受ける。
抵抗器３１は、電源ラインＶＬと接地Ｇ間の回路電流を調整する。
発光素子３２ａ〜３２ｎは、電源供給装置１２の出力が有った時点で発光し、イルミネーション回路を形成する。
なお、スピーカ１１（図３参照）に入力されるオーディオ信号の分岐成分を、この回路に入力して、発光素子３２ａ〜３２ｎの発光光量を変化させたり、色違いのＬＥＤを増設することで発光色を変化せしめるように構成することも可能である。
【００３６】
図６は、付加装置の構成例２を示す回路図である。構成例２の付加装置１３ｂは、信号表示装置（レベルメータ回路）を構成し、コンパレータ４１ａ〜４１ｎと、発光素子４２ａ〜４２ｎと、ライン抵抗器４３ａ〜４３ｂ，４４と、レベル検波器４５とを備える。
【００３７】
以下、構成例２の付加装置１３ｂの動作を説明する。
電源ラインＶＬは、前述した電源供給装置１２（図３および図４参照）の出力を受ける。レベル検波器４５は、スピーカ１１（図３参照）に入力されるオーディオ信号（ＢＴＬ増幅器２２の出力信号）の分岐成分を入力する。
【００３８】
コンパレータ４１ａ〜４１ｎは、遷移領域幅が狭く、差動入力端子を備えた直流増幅器として動作し、ライン抵抗器４３ａ〜４３ｂにより順次降下せしめられた電位とレベル検波器４５の出力電位との電位差を、狭い遷移領域幅において直流増幅する。これにより、後段の発光素子４２ａ〜４２ｎのうち、前期電位差が一定レベルに達しているものだけが発光するので、該発光した発光素子の位置によりスピーカ１１（図３参照）に入力されるオーディオ信号（ＢＴＬ増幅器２２の出力信号）のレベルを目視することができる。
【００３９】
図７は、付加装置の構成例３を示す回路図である。構成例３の付加装置１３ｃは、信号表示装置（スペクトラムアナライザ）を構成し、ＢＰＦ（バンドパスフィルター）５１と、マイクロコンピュータ５２と、表示器５３とを備える。
マイクロコンピュータ５２は、Ａ／Ｄ変換器５２１を備える。
【００４０】
以下、構成例３の付加装置１３ｃの動作を説明する。
電源ラインＶＬは、前述した電源供給装置１２（図３および図４参照）の出力を受ける。ＢＰＦ５１は、スピーカ１１（図３参照）に入力されるオーディオ信号（ＢＴＬ増幅器２２の出力信号）の分岐成分を入力し、設定された周波数帯域の信号を出力する。マイクロコンピュータ５２は、この出力を、Ａ／Ｄ変換器５２１によりＡ／Ｄ変換して、表示器５３に送出する。
【００４１】
表示器５３は、マイクロコンピュータ５２が出力したディジタル信号に基づいて、スピーカ１１（図３参照）に入力されるオーディオ信号（ＢＴＬ増幅器２２の出力信号）の全期周波数帯域における出力レベルを表示する。
なお、ＢＰＦ５１に設定できる周波数帯域は可変にすることも可能である。
【００４２】
図８は、付加装置の構成例４を示す回路図である。構成例４の付加装置１３ｄは、スピーカ保護回路を構成し、スピーカ１１のボイスコイルの近傍に設置されたサーミスタ６１と、サーミスタ６１に接続された増幅回路６２と、スピーカ１１に入力されるオーディオ信号（ＢＴＬ増幅器２２の出力信号）の分岐成分を入力する波形分析回路６３と、増幅回路６２の出力と波形分析回路６３の出力との論理演算を行い、その結果の信号を後述するスイッチ６５に送出する選択回路６４と、選択回路６４からの信号に基づいてスピーカ１１に入力されるオーディオ信号（ＢＴＬ増幅器２２の出力信号）をスイッチング（開閉）するスイッチ６５とを備える。
【００４３】
以下、構成例４の付加装置１３ｄの動作を説明する。
サーミスタ６１は、スピーカ１１のボイスコイル周辺の温度を出力信号に変換して増幅回路６２に送出する。スピーカ１１のボイスコイル周辺の温度上昇は、前記ボイスコイルからの発熱によるものであり過度の発熱はボイスコイルが熱的破壊する危険がある。
【００４４】
増幅回路６２は、コンパレータを備えた直流増幅回路であり、サーミスタ６１の出力信号を直流増幅するとともに、ボイスコイル周辺の温度が所定の過熱時に対応する信号レベルであった時には信号レベルＨ（ハイ）の信号を選択回路６４の一方の入力端子Ａに送出し、ボイスコイル周辺の温度が所定の平熱時（前記過熱時ではない時）に対応する信号レベルであった時には信号レベルＬ（ロー）の信号を前記一方の入力端子Ａに送出する。
【００４５】
また、波形分析回路６３は、スピーカ１１に入力されるオーディオ信号（ＢＴＬ増幅器２２の出力信号）の波形を分析し、例えば、この波形が、大振幅が連続するような波形であると、信号レベルＨ（ハイ）の信号を選択回路６４の他方の入力端子Ｂに送出し、さもなければ、信号レベルＬ（ロー）の信号を前記他方の入力端子Ｂに送出する。
選択回路６４は、増幅回路６２からの前記論理出力と、波形分析回路６３からの前記論理出力との論理演算を行い、その結果として得られる論理出力をスイッチ６５に送出する。
【００４６】
なお、選択回路６４は、例えば、ＡＮＤ回路、ＯＲ回路、ＮＡＮＤ回路、ＮＯＲ回路といった論理回路や、スイッチ等により構成され、その論理演算の設定機能として、例えば、入力端子Ａの出力、入力端子Ｂの出力、入力端子Ａの出力と入力端子Ｂの出力との（ＡＮＤ／ＯＲ／ＮＡＮＤ／ＮＯＲ）といった論理演算の設定が可能であるものとする。
【００４７】
図９は、付加装置の構成例５を示す回路図である。構成例５の付加装置１３ｅは、ワイヤレス送信回路を構成し、後述するスイッチ部７４を介してスピーカ１１に入力されるオーディオ信号（ＢＴＬ増幅器２２の出力信号）を入力するＦＭ変調発振器７１と、ＦＭ変調発振器７１の出力信号を逓倍して送信周波数の信号に変換する逓倍周波数変換器７２と、逓倍周波数変換器７２の出力信号を電力増幅する電力増幅器７３と、前記オーディオ信号（ＢＴＬ増幅器２２の出力信号）を本装置側またはスピーカ１１側にするのが選択できるスイッチ部７４と、アンテナ７５とを備える。
【００４８】
以下、構成例５の付加装置１３ｅの動作を説明する。
スイッチ部７４は、ＢＴＬ増幅器２２の出力信号の送出先を、本装置（ワイヤレス送信回路）側またはスピーカ１１側にするのが選択できる。ユーザが、本装置を使用する場合、前記ユーザは、スイッチ部７４を、ＢＴＬ増幅器２２の出力信号が本装置側に入力されるように設定する。
【００４９】
ＦＭ変調発振器７１は、ＢＴＬ増幅器２２の出力信号を入力してＦＭ変調し、逓倍周波数変換器７２に送出する。逓倍周波数変換器７２は、このＦＭ変調された信号を入力して送信周波数となるように逓倍し、電力増幅器７３に送出する。電力増幅器７３は、この周波数が逓倍された信号を電力増幅してアンテナ７５に送出する。アンテナ７５は、この電力増幅された信号を電波に変換して発信する。
【００５０】
この構成により、ユーザは、スピーカ１１から離れた場所であっても、例えば、本装置の外部機器であるＦＭレシーバを使用して、ＢＴＬ増幅器２２の出力信号を音声として再生することができる。なお、この機能は、商談に必要なショーやプレゼンテーション等にも利用することができる。
なお、ここではＦＭ変調を行う構成としたが、他に、ＡＭ変調や、ＰＨ（ＰＭ）変調等を行う構成とすることも可能である。
【００５１】
図１０は、付加装置の構成例６を示す回路図である。構成例６の付加装置１３ｆは、赤外線送信機能を備えたワイヤレス送信回路を構成し、後述するスイッチ部８４を介してスピーカ１１に入力されるオーディオ信号（ＢＴＬ増幅器２２の出力信号）を入力するＦＭ／ＰＨ変調発振器８１と、ＦＭ／ＰＨ変調発振器８１の出力信号を増幅する増幅器８２と、増幅器８２の出力信号を赤外線信号に変換して外部に送出する赤外線ＬＥＤ８３（赤外線発光素子）と、ＢＴＬ増幅器２２の出力信号を本装置側またはスピーカ１１側にするのが選択できるスイッチ部８４とを備える。
【００５２】
以下、構成例６の付加装置１３ｆの動作を説明する。
スイッチ部８４は、ＢＴＬ増幅器２２の出力信号の送出先を、本装置（赤外線送信機能を備えたワイヤレス送信回路）側またはスピーカ１１側にするのが選択できる。ユーザが、本装置を使用する場合、前記ユーザは、スイッチ部８４を、ＢＴＬ増幅器２２の出力信号が本装置側に入力されるように設定する。
【００５３】
ＦＭ／ＰＨ変調発振器８１は、ＢＴＬ増幅器２２の出力信号を入力してＦＭ変調し、増幅器８２に送出する。増幅器８２は、このＦＭ／ＰＨ変調された信号を入力して増幅し、赤外線ＬＥＤ８３に送出する。赤外線ＬＥＤ８３は、このＦＭ／ＰＨ変調され、かつ増幅された信号を赤外線信号に変換して外部に送出する。
【００５４】
この構成により、ユーザは、スピーカ１１から離れた場所であっても、例えば、本装置の外部機器である赤外線ワイヤレスヘッドホンを使用して、ＢＴＬ増幅器２２の出力信号を音声として再生することができる。ちなみに、この機能も、商談に必要なショーや、プレゼンテーション等に利用することができる。
なお、ここでは本装置においてＦＭ／ＰＨ変調を行う構成としたが、他に、ＡＭ変調を行う構成とすることも可能である。
【００５５】
図１１は、付加装置の構成例７を示す回路図である。構成例７の付加装置１３ｇは、超音波放射器を備えた超指向性スピーカ装置（パラメトリック）を構成し、キャリアとなる超音波を発振する超音波周波数発振器１０１と、後述するスイッチ部１０５を介してスピーカ１１に入力されるオーディオ信号（ＢＴＬ増幅器２２の出力信号）を入力し、超音波周波数発振器１０１の出力をキャリアとしてＡＭ変調を行うＡＭ変調器１０２と、ＡＭ変調器１０２の出力信号を増幅する増幅器１０３と、増幅器１０３の出力信号を超音波に変換して外部に送出する超音波放射器１０４と、ＢＴＬ増幅器２２の出力信号を本装置側またはスピーカ１１側にするのが選択できるスイッチ部１０５とを備える。
【００５６】
以下、構成例７の付加装置１３ｇの動作を説明する。
スイッチ部１０５は、ヘッドユニット（図３参照）から出力されるオーディオ信号（ＢＴＬ増幅器２２の出力信号）の送出先を、本装置（超音波放射器を備えた超指向性スピーカ装置）側またはスピーカ１１側にするのを選択する。ユーザが、本装置を使用する場合、前記ユーザは、スイッチ部１０５を、前記オーディオ信号（ＢＴＬ増幅器２２の出力信号）が本装置側に入力されるように設定する。
【００５７】
超音波周波数発振器１０１は、キャリアとなる超音波を発振する。ＡＭ変調器１０２は、ＢＴＬ増幅器２２の出力信号を入力し、前記キャリアを用いてＡＭ変調を行い、その出力を増幅器１０３に送出する。増幅器１０３は、このＡＭ変調された信号を入力して増幅し、超音波放射器１０４に送出する。超音波放射器１０４は、超指向性を備えた超音波放射器であり、このＡＭ変調され、かつ増幅された信号を超指向性を有する超音波に変換して外部に送出する。
【００５８】
この構成により、ユーザは、スピーカ１１から離れた場所であっても、この超音波を身体の一部（耳または耳の周辺）に受けることにより、ＢＴＬ増幅器２２の出力信号を音声として聞き取ることができる。ちなみに、この機能も、商談に必要なショーや、プレゼンテーション等に利用することができる。
なお、ここでは本装置においてＡＭ変調を行う構成としたが、他に、ＰＨ（ＰＭ）変調を行う構成とすることも可能である。
【００５９】
以上のように、本実施の形態に係る付加装置を備えるスピーカ装置は、オーディオ信号を増幅するＢＴＬ増幅器２２から出力された正負の出力信号が入力されることにより音声を出力するスピーカ１１と、スピーカ１１に付加機能をもたらす付加装置１３と、ＢＴＬ増幅器２２の正負の出力信号のオフセット電圧により、付加装置１３の電源を供給する電源供給装置１２と、を有する。
これにより、付加装置１３に供給すべき電源電力を、車載用のバッテリー３から電源配線を引き回すことなく、本装置の内部だけで賄うことができるものである。
よって、所望の付加装置１３（例えば、１３ａ〜１３ｇなどの付加装置）を取り付ける場合に、バッテリー３からの直接電源配線を引き回す施工を行う必要がなく、スピーカ１１に入力するオーディオ信号（ＢＴＬ増幅器２２の出力信号）を分岐して入力するという比較的簡易な方法で入力させることが可能であるので、所望の付加装置１３（例えば、１３ａ〜１３ｇなどの付加装置）を取り付ける場合に、電源配線の施工に手間がかかるという従来の問題点を解消できる。
【図面の簡単な説明】
【図１】従来の付加装置を備えるスピーカ装置の概略構成を示す回路図である。
【図２】ＢＴＬ増幅器の原理を説明するための回路図（ａ）、および入力波形（ｂ）である。
【図３】本発明の実施の形態に係る付加装置を備えるスピーカ装置の全体構成を示す概略構成図である。
【図４】本発明の実施の形態に係る付加装置を備えるスピーカ装置の電源供給装置の一構成例を示す回路図である。
【図５】本発明の実施の形態に係る付加装置を備えるスピーカ装置の付加装置の構成例１を示す回路図である。
【図６】本発明の実施の形態に係る付加装置を備えるスピーカ装置の付加装置の構成例２を示す回路図である。
【図７】本発明の実施の形態に係る付加装置を備えるスピーカ装置の付加装置の構成例３を示す回路図である。
【図８】本発明の実施の形態に係る付加装置を備えるスピーカ装置の付加装置の構成例４を示す回路図である。
【図９】本発明の実施の形態に係る付加装置を備えるスピーカ装置の付加装置の構成例５を示す回路図である。
【図１０】本発明の実施の形態に係る付加装置を備えるスピーカ装置の付加装置の構成例６を示す回路図である。
【図１１】本発明の実施の形態に係る付加装置を備えるスピーカ装置の付加装置の構成例７を示す回路図である。
【符号の説明】
１  付加装置を備えるスピーカ装置
２  ヘッドユニット
３  バッテリー
１１  スピーカ
１２  電源供給装置
１３、１３ａ〜１３ｇ  付加装置
２１  音源部
２１  ＢＴＬ増幅器
３２ａ〜３２ｎ，４２ａ〜４２ｂ  発光素子
４１ａ〜４１ｎ  コンパレータ
４３ａ〜４３ｎ，４４  ライン抵抗
４５  レベル検波器
５１  ＢＰＦ（バンドパスフィルター）
５２  マイクロコンピュータ
５３  表示器
６１  サーミスタ
６２  増幅回路
６３  波形分析回路
６４  選択回路
６５  スイッチ
７１  ＦＭ変調発振器
７２  逓倍周波数変換器
７３  電力増幅器
７４、８４、１０５  スイッチ部
８１  ＦＭ／ＰＨ変調発振器
８２，１０３  増幅器
８３  赤外線ＬＥＤ
１０１  超音波周波数発振器
１０２  ＡＭ変調器
１０４  超音波放射器
１２１Ａ，１２１Ｂ  整流用の素子
１２２  コイル（インダクタ）又は抵抗
１２３  安定化回路
１２４  電解コンデンサ
５２１  Ａ／Ｄ変換器
【図１】
2005012370.tif 000003
【図２】
2005012370.tif 000004
【図３】
2005012370.tif 000005
【図４】
2005012370.tif 000006
【図５】
2005012370.tif 000007
【図６】
2005012370.tif 000008
【図７】
2005012370.tif 000009
【図８】
2005012370.tif 000010
【図９】
2005012370.tif 000011
【図１０】
2005012370.tif 000012
【図１１】
2005012370.tif 000013